(57)【要約】【課題】基板上の構造物の高さおよび体積が低減された基板と配線コネクタとの接続構造を提供する。【解決手段】電極３２２ｂが形成された回路基板３２０と配線コネクタ７００との接続構造であって、配線コネクタ７００は、電極３２２ｂとの電気的接続を行うための接触端子７１０と、接触端子７１０を保持するハウジング７３０と、ハウジング７３０に固定された爪状の係合部７４１と、を有し、回路基板３２０は、係合部７４１と係合する貫通孔である被係合部３２２ａを有し、接触端子７１０は、係合部７４１と被係合部３２２ａとが係合している状態において、電極３２２ｂと接触する位置に保持されている。【選択図】図７
2014060059.tif 000002
【特許請求の範囲】
【請求項１】
電極が形成された回路基板と配線コネクタとの接続構造であって、
前記配線コネクタは、前記電極との電気的接続を行うための接触端子と、前記接触端子を保持するハウジングと、前記ハウジングに固定された爪状の係合部と、を有し、
前記回路基板は、前記係合部と係合する貫通孔である被係合部を有し、
前記接触端子は、前記係合部と前記被係合部とが係合している状態において、前記電極と接触する位置に保持されている
ことを特徴とする接続構造。
【請求項２】
前記ハウジングは、少なくとも前記回路基板と対向する側の面である下面に開口を有する有底筒状の部材であり、
前記接触端子は、前記開口内に露出する態様で前記ハウジング内部に保持されており、
前記係合部は、一対の爪状部分から成り、前記一対の爪状部分は、前記ハウジングの側面の対向する位置に前記下面側に爪が突出する態様でそれぞれ設けられており、
前記被係合部は、前記回路基板の前記一対の爪状部分それぞれに対応する位置に穿設された一対の貫通孔から成り、
平面視において、前記接触端子は前記一対の爪状部分の間に保持されており、前記電極は前記一対の貫通孔の間に設けられている
ことを特徴とする請求項１に記載の接続構造。
【請求項３】
前記ハウジングは、前記接触端子を一対保持し、
前記回路基板には、前記電極が一対設けられている
ことを特徴とする請求項１に記載の接続構造。
【請求項４】
前記ハウジングは、前記回路基板と対向する方向に突出した突起部を有し、
前記回路基板には、前記配線コネクタが前記回路基板に対して所定の向きに配された場合に前記突起部と嵌合する突起用貫通孔が形成されている
ことを特徴とする請求項１に記載の接続構造。
【請求項５】
前記接触端子は、弾性を有する導電性の材料から成り、前記電極とは弾性的に接触している
ことを特徴とする請求項１に記載の接続構造。
【請求項６】
前記配線コネクタは、前記係合部を前記ハウジングに固定する断面Ｕ字状の固定部をさらに有し、
前記爪状部分は、前記固定部において前記Ｕ字の対向する２辺の開口端に相当する部分にそれぞれ形成されており、
前記固定部が、前記爪状部分を下方に向けて前記Ｕ字の内側に前記ハウジングが位置するように前記ハウジングに嵌着されて固定されることにより、前記係合部が前記ハウジングに固定されている
ことを特徴とする請求項２に記載の接続構造。
【請求項７】
前記係合部は、前記ハウジングから下方に延出するように、前記ハウジングと一体的に形成されている
ことを特徴とする請求項１に記載の接続構造。
【請求項８】
前記配線コネクタは、前記接続端子に接続された配線をさらに有し、
前記配線を前記ハウジングの外方へと導出するための導出開口が前記ハウジングの側面の複数個所に設けられている
ことを特徴とする請求項１に記載の接続構造。
【請求項９】
前記ハウジングは、前記接触端子の前記配線が接続されている部分が前記複数個所に設けられた前記導出開口のいずれか１つに対向する向きに前記接触端子を保持する
ことを特徴とする請求項８に記載の接続構造。
【請求項１０】
前記導出開口は、前記ハウジングの側面の対向する２か所に設けられている
ことを特徴とする請求項８または９に記載の接続構造。
【請求項１１】
前記配線は、リード線である
ことを特徴とする請求項８に記載の接続構造。
【請求項１２】
前記配線は、フレキシブルフラットケーブルである
ことを特徴とする請求項８に記載の接続構造。
【請求項１３】
回路基板の電極と接触して電気的接続を行うための接触端子と、前記接触端子を内部に保持するハウジングと、前記ハウジングに固定された爪状の係合部と、前記接触端子に接続された配線と、を有する配線コネクタであって、
前記ハウジングは、少なくとも前記回路基板と対向する面である下面に開口を有する有底筒状の部材であり、
前記接触端子は、前記開口内に露出する態様で前記ハウジングに保持されており、
前記配線を前記ハウジングの外方へと導出するための導出開口が前記ハウジングの側面の複数個所に設けられている
ことを特徴とする配線コネクタ。
【請求項１４】
前記ハウジングは、前記接触端子の前記配線が接続されている部分が前記複数個所に設けられた前記導出開口のいずれか１つに対向する向きに前記接触端子を保持する
ことを特徴とする請求項１３に記載の配線コネクタ。
【請求項１５】
前記導出開口は、前記ハウジングの側面の対向する２か所に設けられている
ことを特徴とする請求項１３または１４に記載の配線コネクタ。
【請求項１６】
前記ハウジングは、下方に突出する突起部を有する
ことを特徴とする請求項１３に記載の配線コネクタ。
【請求項１７】
前記配線コネクタと前記回路基板とを備える照明装置であって、
前記回路基板には、半導体発光素子が実装されており、
前記配線コネクタと前記回路基板とが、請求項１〜１２の何れか１項に記載の接続構造により接続されている
ことを特徴とする照明装置。
【発明の詳細な説明】
【技術分野】
【０００１】
本発明は、配線コネクタと配線パターンが形成された基板との接続構造、配線コネクタ、および例えば天井面に取り付けられる照明装置に関する。
【背景技術】
【０００２】
近年、省エネの観点よりＬＥＤ（Ｌｉｇｈｔ  Ｅｍｉｔｔｉｎｇ  Ｄｉｏｄｅ）照明が急速に普及している。当初はＬＥＤ電球、ダウンライトなど、比較的小さな照明が中心であったが、最近ではＬＥＤシーリングライト、直管形ＬＥＤランプなど、主照明となる、やや大きめなＬＥＤ照明も普及し始めている。
ＬＥＤシーリングライトや直管形ＬＥＤランプなどの場合、光源が広くなるため、ＬＥＤが実装され、配線パターンが形成された基板を複数枚組み合わせて使用する場合がある。このような場合、これら複数の基板同士を電気的に接続する必要がある。
【０００３】
基板同士を電気的に接続する簡易的な方法としては、リード線を用いて半田付けにより接続する方法がある。しかし、半田付けによる接続は、作業効率の面で問題がある。さらに、半田付けによる接続は、機械的強度が比較的弱く、長期に亘る接続信頼性の問題がある。そこで、特許文献１には、基板に取着された雌型部品に、配線コネクタを差し込み係合させることにより基板同士を電気的に接続する方法が開示されている。
【先行技術文献】
【特許文献】
【０００４】
【特許文献１】特開２０１１−２９１８８号公報
【発明の概要】
【発明が解決しようとする課題】
【０００５】
ＬＥＤが実装された基板を複数枚組み合わせて用い、これらの基板同士を雌型部品および配線コネクタで接続する場合、ＬＥＤから発せられた光が雌型部品および配線コネクタにより遮られ、影が生じるという問題がある。そのため、基板上には、特許文献１の雌型部品の様な遮光性の構造物はできるだけ配置しない方が良く、配置する場合も、できるだけＬＥＤからの光を遮らないことが望ましい。即ち、基板上に配される遮光性の構造物の高さや体積は、出来るだけ低減されるのが望ましい。
【０００６】
本発明は、上記課題に鑑みてなされたものであり、基板上に配される遮光性構造物の高さや体積を低減することができる配線コネクタと基板との接続構造、配線コネクタ、および当該接続構造を利用して配線コネクタにより接続された基板を備えた照明装置を提供することを目的とする。
【課題を解決するための手段】
【０００７】
上記目的を達成するため、本発明に係る接続構造は、電極が形成された回路基板と配線コネクタとの接続構造であって、前記配線コネクタは、前記電極との電気的接続を行うための接触端子と、前記接触端子を保持するハウジングと、前記ハウジングに固定された爪状の係合部と、を有し、前記回路基板は、前記係合部と係合する貫通孔である被係合部を有し、前記接触端子は、前記係合部と前記被係合部とが係合している状態において、前記電極と接触する位置に保持されていることを特徴とする。
【発明の効果】
【０００８】
本発明に係る接続構造によれば、被係合部が基板の一部である貫通孔であり、雌型部品等の別部材を被係合部として基板に設けなくてもよい。これにより、雌型部品等の別部材を用いなくてよい分だけ基板上に配される遮光性構造物の高さおよび体積を低減することができる。
【図面の簡単な説明】
【０００９】
【図１】実施形態１に係る照明装置を示す図であって、（ａ）は外観斜視図であり、（ｂ）は分解斜視図である。
【図２】実施形態１に係る配線コネクタと回路基板との接続構造を示す斜視図である。
【図３】実施形態１に係る配線コネクタの外観斜視図であって、（ａ）は、表側から見た斜視図であり、（ｂ）は、裏側から見た斜視図である。
【図４】実施形態１に係る配線コネクタの分解斜視図である。
【図５】実施形態１に係る回路基板の外観斜視図である。
【図６】実施形態１に係る照明装置の放熱板の外観斜視図である。
【図７】実施形態１に係る配線コネクタが回路基板に接続される様子を示す斜視図である。
【図８】実施形態１に係る配線コネクタと回路基板とが接続された状態を示す断面図であって、（ａ）は、図２のＡ−Ａ直線による矢視断面図であり、（ｂ）は、図２のＢ−Ｂ直線による矢視断面図である。
【図９】接触端子がハウジングに固定される前の状態を示す斜視図であって、（ａ）は、端子部が突起とは反対側に位置する向きに固定される場合の斜視図であり、（ｂ）は、端子部が突起と同じ側に位置する向きに固定される場合の斜視図である。
【図１０】実施形態２に係る配線コネクタの外観斜視図であって、（ａ）は、表側から見た斜視図であり、（ｂ）は、裏側から見た斜視図である。
【図１１】（ａ）は、変形例１に係る配線コネクタの外観斜視図であり、（ｂ）は、変形例２に係る配線コネクタの外観斜視図である。
【図１２】変形例３に係る配線コネクタの外観斜視図である。
【発明を実施するための形態】
【００１０】
本発明を実施するための形態を、図面を参照して詳細に説明する。なお、各図は、模式図であり、図面に示された部品等の各構成要素の形状や寸法および比等については、必ずしも厳密に図示したものではない。
＜実施形態１＞
本発明の一態様である実施形態１に係る接続構造が、照明装置に適用された場合を例に、図面を参照しながら説明する。先ず、実施形態１に係る照明装置１０の構成について説明する。
【００１１】
［全体構成］
図１は、実施形態１に係る照明装置１０の概略構成を示す斜視図である。図１（ａ）は、照明装置１０の外観斜視図であり、図１（ｂ）は、照明装置１０の分解斜視図である。
照明装置１０は、いわゆる住宅用シーリングタイプの照明装置である。照明装置１０は、主な構成要素として、装置本体１００、ヒートシンク部２００、発光部３００、レンズ部４００、装置本体１００の照射方向側である前方側（照明装置１０が天井に設置される場合は、床側。以下、照射方向側を「前方」、照射方向とは反対側を「後方」とする。）を覆って装置本体１００に嵌合されるグローブ５００等を備える。
【００１２】
［各部構成］
（装置本体）
装置本体１００は、有底円筒状部１１０と、有底円筒状部１１０の開口端全周に亘って筒軸方向から離れる方向に延出した外鍔部１２０とを備える。装置本体１００は、鋼板やアルミ板等をプレス加工等により加工して形成されるほか、樹脂等により形成されてもよい。
【００１３】
有底円筒状部１１０の底部分１１１の略中央部には、平面視円形の取付用貫通孔１１２が形成されている。この取付用貫通孔１１２には、装置本体１００を天井等に取り付けるためのアダプタ６００が嵌合固定される。
有底円筒状部１１０の底部分１１１の内面側には、円環状のヒートシンク部２００が取付用貫通孔１１２を囲繞するように配置されており、ヒートシンク２０には、円環状の発光部３００が配設されている。
【００１４】
外鍔部１２０には、グローブ５００を着脱可能に取着するための取付具１２１が複数個、周方向に互いに略等間隔を開けて配設されている。また、外鍔部１２０には、グローブ５００を支持するための支持具１２２が複数個、周方向に互いに略等間隔を開けて配設されている。
（ヒートシンク部）
ヒートシンク部２００は、例えば金属等の良好な熱伝導性を有する材料から成る板状の部材であり、発光部３００から発せられた熱を放熱するための部材である。ヒートシンク部２００は、平面視半円環状の放熱板２１０が２枚、円環状に組み合わされて構成されている。
【００１５】
ヒートシンク部２００は、装置本体１００の有底円筒状部１１０の底部分１１１の内面側に配設されている。そしてヒートシンク部２００の前面２１１に発光部３００がネジ留め等により固定される。これにより、発光部３００において発生した熱が、ヒートシンク部２００へと伝わり、ヒートシンク部２００からさらに装置本体１００を介して、空気中や天井へと放熱される。
【００１６】
ヒートシンク部２００を形成する金属材料としては、例えば、Ａｌ、Ａｇ、Ａｕ、Ｎｉ、Ｒｈ、Ｐｄ、またはそれらの内の２以上からなる合金、またはＣｕとＡｇの合金などが考えられる。
（発光部）
発光部３００は、照明装置１０の光源であり、複数のＬＥＤ３１０が回路基板３２０上に実装されて成る。回路基板３２０は、円環を４等分に分割したような形状を有し、回路基板３２０が４枚円環状に組み合わされて、ネジ留め等によりヒートシンク部２００に固定されている。本実施形態においては、ＬＥＤ３１０は、円環の周方向に沿って２列に配列されている。隣り合う回路基板３２０は、配線コネクタ７００により互いに電気的に接続されている。
【００１７】
なお、図１においては、４枚の回路基板３２０のうちの１枚がヒートシンク部２００に固定されていない状態を示しており、当該固定されていない回路基板３２０とその隣り合う回路基板３２０とを接続する配線コネクタ７００については、図示していない。
（レンズ部）
レンズ部４００は、ガラスや樹脂等の透光性の材料から成り、発光部３００から発せられた光を集光し、所望の配光特性を実現するための部材である。レンズ部４００は、発光部３００の形状に対応して円環状に形成され、発光部３００の前方側（照射方向側）を覆うように配されている。
【００１８】
（グローブ）
グローブ５００は、ガラスや樹脂等の透光性の材料から成り、内面に発光部３００から発せられた光を拡散させる拡散処理が施されている。拡散処理は、例えば、シリカの混入や、白色顔料の塗布などにより行われる。グローブ５００の内面に入射した光はグローブ５００を透過しグローブ５００の外部へと取り出される。
【００１９】
次に、本発明の実施形態１に係る接続構造により密接に関わる各部材について、図面を参照しながら説明する。
図２は、実施形態１に係る接続構造を示す斜視図であり、放熱板２１０上にネジ８０１により固定された２枚の回路基板３２０が配線コネクタ７００により接続されている状態を示す。図３（ａ）は、表側から見た配線コネクタ７００の外観斜視図であり、図３（ｂ）は、裏側から見た配線コネクタ７００の外観斜視図である。なお、配線コネクタ７００が回路基板３２０に取着された場合において、露出している側であって前方側を表側とし、その反対側、即ち、回路基板３２０と対向する側であって後方側を裏側とする。以下、実施形態２においても同様とする。図４は、配線コネクタ７００の分解斜視図である。図５は、回路基板３２０の外観斜視図である。図６は、放熱板２１０の外観斜視図である。
【００２０】
（配線コネクタ）
先ず、配線コネクタ７００のより詳細な構成について、説明する。図３，図４に示すように、配線コネクタ７００は、接触端子７１０、配線７２０、ハウジング７３０、および係合ユニット７４０を備える。接触端子７１０、ハウジング７３０、および係合ユニット７４０によりコネクタヘッド７０１が構成され、配線７２０の両端部にコネクタヘッド７０１がそれぞれ接続され固定されている。
【００２１】
なお、図３（ａ），図３（ｂ），図４においては、一方のコネクタヘッド７０１のみを図示し、他方のコネクタヘッド７０１については、図示を省略している。
接触端子７１０は、金属等の導電性の材料から成る接触端子部材７１０ａおよび７１０ｂから成り、回路基板３２０の電極３２２ｂ（図５参照）と接触して電気的接続を行うための部材である。接触端子部材７１０ａおよび７１０ｂは、それぞれ全体としては棒状の長尺な形状を有しており、端子部７１１、固定片７１２、および固定片７１３をそれぞれ備える。
【００２２】
端子部７１１は、棒状の部材の一方の端部が板バネのような弾性を有する形状に屈曲されて形成されている。棒状の部材の他方の端部には、接触端子７１０をハウジング７３０に固定するための固定片７１２と接触端子７１０に配線７２０を固定するための固定片７１３が形成されている。
なお、接触端子部材７１０ａと７１０ｂとを特に区別する必要が無い場合および２つをまとめて総称する場合には、単に接触端子７１０とする。また、接触端子部材７１０ａは端子部７１１ａを備え、接触端子部材７１０ｂは端子部７１１ｂを備えるが、これらを特に区別する必要が無い場合には、単に端子部７１１と表記する。さらに、固定片７１２，７１３については、接触端子部材７１０ａに設けられているものと接触端子部材７１０ｂに設けられているものとを特に区別する必要が無いため、これらを区別していない。
【００２３】
また、本実施形態においては、端子部７１１は、棒状の部材の一方の端部が二股に分かれて形成されているが、これに限定されるものではない。２股に分かれていなくてもよいし、三股以上に分かれていてもよい。
配線７２０は、リード線であり、銅線等の金属線７２１が樹脂等の絶縁性の材料から成る被覆材７２２により被覆されて構成されている。
【００２４】
ハウジング７３０は、樹脂等の絶縁性の材料から成る有底筒状の部材であり、内部に接触端子７１０を保持する。ハウジング７３０の後方側（−Ｚ方向側。照明装置１０に組み付けられた際には、照射方向とは反対側。）には、接触端子用開口７３１が設けられており、そこから端子部７１１が露出している。
ハウジング７３０の筒の底部分である底面７３２には固定用貫通孔７３２ａが形成されている。固定用貫通孔７３２ａに接触端子７１０の固定片７１２が内側から挿通された後に、固定片７１２の先端が屈曲されることにより抜け止めがなされ、接触端子７１０がハウジング７３０の底面７３２に固定される。
【００２５】
ハウジング７３０のＸ方向における両側面７３３には、配線導出用開口７３３ａが設けられており、接触端子７１０に接続された配線７２０が、配線導出用開口７３３ａを介してハウジング７３０の外方へと導出される。
ハウジング７３０のＹ方向における両側面７３４および底面７３２のＸ方向中央部には、係合ユニット７４０が嵌着される。両側面７３４および底面７３２の係合ユニット７４０が嵌着される部分は、係合ユニット７４０の幅（Ｘ方向における幅）の分だけ内側へと凹入してくびれ部７３５が形成されている。くびれ部７３５により、係合ユニット７４０のハウジング７３０に対するＸ軸方向の移動が係止され、係合ユニット７４０のＸ軸方向における抜け止めがなされる。また、両側面７３４の中央部上側には、段差部７３４ａが形成されている。
【００２６】
係合ユニット７４０は、金属板等から形成され、断面がＵ字状の形状を有する。Ｕ字の対向する２辺の開口端に相当する部分には、２辺が互いに離間する方向に突出するように屈曲された爪状部分７４１ａおよび７４１ｂがそれぞれ形成されている。爪状部分７４１ａおよび７４１ｂにより係合部７４１が構成される。２辺の爪状部分７４１ａ，７４１ｂが形成されている側とは反対側の部分および２辺をつなぐ辺（Ｕ字の底辺）に相当する部分により固定部７４２が構成される。固定部７４２がハウジング７３０のくびれ部７３５に嵌着されることにより、係合部７４１がハウジング７３０に固定される。
【００２７】
固定部７４２において、２辺の爪状部分７４１ａ，７４１ｂが形成されている側とは反対側の部分には、その一部が内側方向に折り込まれて係止爪７４２ａが形成されている。係合ユニット７４０がハウジング７３０に嵌着された際に、係合ユニット７４０の係止爪７４２ａが段差部７３４ａにより係止され、係合ユニット７４０のハウジング７３０に対するＺ方向の移動が規制されて係合ユニット７４０のＺ方向の抜け止めがなされる。
【００２８】
本実施形態においては、配線コネクタ７００は、一対の接触端子７１０を備えている。各接触端子７１０は、底面７３２から前方（−Ｚ方向。照明装置１０に組み付けられた場合の照射方向。）に延設された隔壁７３６により隔てられている。隔壁７３６の−Ｘ側端部には、前方に突出する突起７３６ａが形成されている。
（回路基板）
図５に示すように、回路基板３２０は、平面視で円環を４等分に分割した形状を有する板状の部材である。回路基板３２０の前面（照明装置１０に取着された状態における照射方向側の主面）３２１上には、複数のＬＥＤ３１０が互いに間隔を開けて２列に実装されている。ＬＥＤ３１０は、ＳＭＤ（Ｓｕｒｆａｃｅ  Ｍｏｕｎｔ  Ｄｅｖｉｃｅ）タイプのものでもよいし、１個または数個のＬＥＤ素子が一塊の封止体によって封止されたものを１ユニットとして、これを１つのＬＥＤ３１０としてもよい。なお、回路基板３２０上にはＬＥＤを駆動させるための配線パターン（不図示）が形成されている。配線パターンは金属薄膜等をパターニングして形成される。
【００２９】
ＬＥＤ３１０の列の間であって、円環の周方向における端部には、配線コネクタ７００が取着（接続）されるコネクタ取着部３２２が形成されている。コネクタ取着部３２２は、被係合部３２２ａ、電極３２２ｂ、および突起用貫通孔３２２ｃから構成されている。
被係合部３２２ａは、回路基板３２０の厚さ方向に貫通する一対の貫通孔３２２ａ１および３２２ａ２から構成されている。貫通孔３２２ａ１および３２２ａ２は、回路基板３２０の幅方向であるＷ方向に互いに間隔を開けて形成されている。
【００３０】
電極３２２ｂは、金属薄膜等から成る一対の電極パッド３２２ｂ１および３２２ｂ２から成る。電極パッド３２２ｂ１，３２２ｂ２は、Ｗ方向において貫通孔３２２ａ１と貫通孔３２２ａ２の間であって、周方向において被係合部３２２ａとずれた位置に、Ｗ方向に互いに間隔を開けて前面３２１上に並設されている。
突起用貫通孔３２２ｃは、回路基板３２０の厚さ方向に貫通する貫通孔であって、Ｗ方向において電極パッド３２２ｂ１と３２２ｂ２との間の位置に形成されている。
【００３１】
回路基板３２０のＬＥＤ３１０の列の間には、回路基板３２０をネジ８０１により放熱板２１０に固定するためのネジ孔３２４が複数穿設されている。
なお、本明細書における各実施形態および変形例においては、「回路基板」という用語は、必ずしも、基板上にトランジスタやコンデンサ等の各種電子部品が搭載されているものを示すのに限られない。本実施例における回路基板３２０のように基板上にＬＥＤが実装され、配線パターンや電極等が形成されているものや、例えば、基板上に配線パターンが形成されているだけのものも含む用語として用いている。
【００３２】
（放熱板）
放熱板２１０は、例えば金属等の良好な熱伝導性を有する材料から成り、平面視において半円環状の形状を有する板状部材である。放熱板２１０の前面２１１上に回路基板３２０が２枚並べて固定される。放熱板２１０には、ネジ８０１により回路基板３２０を固定するためのネジ孔２１２が穿設されている。ネジ孔２１２は貫通孔でもよいし、前面２１１から後面２１３側に凹入する凹部であってもよい。また、回路基板３２０が固定された際に、コネクタ取着部３２２と対応する位置に、凹部２１４が設けられている。
【００３３】
［接続構造］
次に、配線コネクタ７００と回路基板３２０との接続構造について説明する。図７は、配線コネクタ７００が回路基板３２０のコネクタ取着部３２２に取着される様子を示す斜視図である。図８は、配線コネクタ７００が回路基板３２０に取着されている状態を示す断面図であり、図８（ａ）は、図２のＡ−Ａ線に沿った矢視断面図であり、図８（ｂ）は、図２のＢ−Ｂ線に沿った矢視断面図である。
【００３４】
配線コネクタ７００と回路基板３２０との接続は、次のようにして行われる。図７に示すように、先ず、配線コネクタ７００を、その後方側（−Ｚ側）を回路基板３２０の前面３２１に対向させて配置し、その状態で配線コネクタ７００を回路基板３２０へと近接する方向（図７において矢印で示す方向）へと移動させる。そして、配線コネクタ７００の係合部７４１を回路基板３２０の被係合部７２２ａに挿通し、係合部７４１と被係合部７２２ａを係合させる。即ち、爪状部分７４１ａを貫通孔３２２ａ１に係合させ、爪状部分７４１ｂを貫通孔３２２ａ２に係合させる。それと同時に、接触端子部材７１０ａの端子部７１１ａが電極パッド３２２ｂ１と接触し、接触端子部材７１０ｂの端子部７１１ｂが電極パッド３２２ｂ２と接触し、突起７３６ａが突起用貫通孔３２２ｃと嵌合する。このとき、図８（ａ），図８（ｂ）に示すように、係合部７４１（爪状部分７４１ａ，７４１ｂ）は回路基板３２０を貫通して回路基板３２０の後面３２３側に突出し、放熱板２１０の凹部２１４内に位置している。また、突起７３６ａの先端は、回路基板３２０を貫通して回路基板３２０の後面３２３側に突出し、放熱板２１０の凹部２１４内に位置している。このように、放熱板２１０に凹部２１４が設けられていることにより、係合部７４１および突起７３６ａが放熱板２１０と干渉するのを防ぐことが出来る。これにより、回路基板３２０を放熱板２１０に密着させて取着することができ、回路基板３２０から放熱板２１０へと効率よく放熱させることができる。
【００３５】
ここで、爪状部分７４１ａ，７４１ｂはハウジング７３０の両側面７３４にそれぞれ設けられており、貫通孔７２２ａ１，７２２ａ２は、回路基板３２０の爪状部分７４１ａ，７４１ｂそれぞれに対応した位置に設けられている。従って、配線コネクタ７００は、図７に示すように配線７２０がＸ方向に導出された向きのみならず、これとは逆向き、即ち、配線７２０が−Ｘ方向に導出された向きにしても、係合部７４１と被係合部３２２ａが対向した状態となる。即ち、爪状部分７４１ａが貫通孔７２２ａ２に対向した状態となり、爪状部分７４１ｂが貫通孔７２２ａ１に対向した状態とる。そのため、ユーザや組み立て作業員が、間違えて配線コネクタ７００を本来の向きとは逆向きに回路基板３２０に接続しようとする虞がある。
【００３６】
しかしながら、本実施形態に係る接続構造によると、配線コネクタ７００のハウジング７３０に突起７３６ａが設けられており、回路基板３２０の被係合部７２２ａからずれた位置に突起用貫通孔３２２ｃが設けられているため、ユーザや作業員がコネクタヘッド７０１間違えた向きに接続しようとしても、突起７３６ａが突起用貫通孔３２２ｃと嵌合せず、コネクタヘッド７０１を回路基板３２０に取着することが出来ない。これにより、配線コネクタ７００の誤取着を防止することが出来る。
【００３７】
ところで、上記のように、誤取着防止用の突起７３６ａにより、コネクタヘッド７０１が回路基板３２０に対して特定の向きにのみ接続可能である場合、通常は配線７２０が導出される向きもそれにより特定の向きに限定されてしまうこととなる。しかし、配線７２０が導出される向きが特定の向きに限定されてしまうと、配線７２０の余計な引き回しが生じ、その分長い配線７２０が必要となったり、配線７２０引き回しのスペースが必要となったりする。さらには、引き回された配線７２０によって、ＬＥＤ３１０から発せられた光が遮光される事態が発生する場合もある。
【００３８】
そこで、本実施形態に係る配線コネクタ７００は、接触端子７１０をハウジング７３０に対して複数の向きに保持可能な構成となっている。図９（ａ）および図９（ｂ）は、接触端子７１０がハウジング７３０に固定される前の状態を示す斜視図である。図９（ａ）は、端子部７１１が突起７３６ａとは反対側に位置する向きに接触端子７１０が固定される場合の斜視図であり、図９（ｂ）は、端子部７１１が突起７３６ａと同じ側に位置する向きに接触端子７１０が固定される場合の斜視図である。
【００３９】
図３（ａ），（ｂ）および図４に示すように、ハウジング７３０の底面７３２には、Ｘ軸方向における両側に固定用貫通孔７３２ａが形成されている。従って、図９（ａ），（ｂ）に示すように、ハウジング７３０は、接触端子７１０を複数の向きに保持可能な構成となっている。本実施形態においては、上記複数の向きとは、固定片７１２，７１３に対して端子部７１１がＸ方向を向いている向きと−Ｘ方向を向いている向きとの二つである。さらにこのとき、ハウジング７３０のＸ軸方向における両側面７３３には配線導出用開口７３３ａがそれぞれ形成されている（即ち、ハウジング７３０の側面における対向する２か所に配線導出用開口７３３ａがそれぞれ形成されている）ため、接触端子７１０が何れの向きに保持された場合でも、配線７２０をハウジングの外方へと円滑に導出することが出来る。
【００４０】
また、本実施形態においては、配線導出用開口７３３ａは、ハウジング７３０の対向する側面７３３にそれぞれ形成されていたが、これに限られない。例えば、一方の配線導出用開口７３３ａが何れか一方の側面７３３に形成され、他方の配線導出用開口７３３ａが何れか一方の側面７３４に形成されてもよい。この場合、接触端子が平面視でＬ字形に屈曲した態様であれば、接触端子の配線が接続される部分である固定片７１３が配線導出用開口７３３ａと対向して位置する向きに接触端子をハウジングにより保持することができるため、配線の導出が容易である。
【００４１】
なお、接触端子７１０が保持される向きが異なると、端子部７１１と突起７３６ａとの相対的な位置関係が異なってくる。従って、双方の相対的な位置関係に対応して、コネクタ取着部３２２における突起用貫通孔３２２ｃと電極３２２ｂの相対的な位置関係も異なる。例えば、図５に示すように、コネクタ取着部３２２−１では、突起用貫通孔３２２ｃは、被係合部３２２ａに対して電極３２２ｂと同じ側であって、一対の電極３２２ｂの間の位置に形成されている。一方、コネクタ取着部３２２−２では、突起用貫通孔３２２ｃは、被係合部３２２ａに対して電極３２２ｂとは反対側に形成されている。
【００４２】
（まとめ）
以上説明したように、本発明の一態様である実施形態１に係る接続構造によると、配線コネクタ７００の係合部７４１が、回路基板３２０に設けられた貫通孔である被係合部３２２ａと係合することにより、配線コネクタ７００と回路基板３２０との接続が行われる。これにより、回路基板３２０に雌型部品のような配線コネクタ７００を接続するための別部材を設ける必要が無いため、回路基板３２０上に配置される遮光性の構造物の高さや体積を減じて、ＬＥＤ３１０から発せられた光の遮光率を低減させることが出来る。
【００４３】
また、被係合部３２２ａが回路基板３２０に穿設された貫通孔であるため、雌型部品のような別部材を用いる必要もなく製造が容易であるため、コスト抑制に資することが出来る。
さらに、接触端子７１０の端子部７１１が板バネのような弾性を有し、コネクタヘッド７０１がコネクタ取着部３２２に取着された際に、電極３２２ｂと弾性接触するため、接触端子７１０と電極３２２ｂとの電気的接続が安定的に維持される。
【００４４】
またさらに、配線コネクタ７００のハウジング７３０が突起７３６ａを備え、回路基板３２０に突起７３６ａに対応した突起用貫通孔３２２ｃが設けられているため、コネクタヘッド７０１をコネクタ取着部３２２に取着する際の誤取着を防止して、コネクタヘッド７０１を確実に所望の向きに取着することができる。
さらにまた、ハウジング７３０は、接触端子７１０を複数の向きに保持可能であり、ハウジング７３０には、上記複数の向きそれぞれに対応した位置に配線導出用開口７３３ａが形成されている。これにより、回路基板３２０に対してコネクタヘッド７０１が所定の向きにのみ取着される場合であっても、配線７２０の余計な引き回しの問題の発生を回避することが出来る。
【００４５】
＜実施形態２＞
上記実施形態１においては、係合部７４１および固定部７４２が係合ユニット７４０を構成し、固定部７４２がハウジング７３０に固定されることにより、係合部７４１がハウジング７３０に固定される構成について説明した。しかし、これに限られない。実施形態２においては、係合部７４１がハウジング７３０と一体的に形成された構成について説明する。なお、説明の重複を避けるため、上記実施形態１と同じ内容のものについてはその説明を省略し、同じ構成要素については、同符号を付すものとする。
【００４６】
図１０は、本発明の別の態様である実施形態２に係る配線コネクタ１７００の外観斜視図である。図１０（ａ）は、表側から見た配線コネクタ７００の外観斜視図であり、図３（ｂ）は、裏側から見た配線コネクタ７００の外観斜視図である。図１０（ａ），図１０（ｂ）に示すように、ハウジング１７３０両側面１７３４から後方側に突出する態様で爪状部分１７４１ａ，１７４１ｂがそれぞれ延設され、ハウジング１７３０と一体的に形成されている。そして、爪状部分１７４１ａおよび１７４１ｂにより係合部１７４１が構成されている。この場合、係合部１７４１は、ハウジング１７３０と同様に樹脂等の絶縁性の材料から形成されている。
【００４７】
ハウジング１７３０は、係合部１７４１が一体的に形成され、くびれ部７３５および段差部７３４ａに相当する部分が形成されていない点を除いては、基本的な構成は実施形態１に係るハウジング７３０と同じである。ハウジング１７３０は、ハウジング７３０と同様に、固定用貫通孔１７３２ａ，配線導出用開口１７３３ａ，隔壁１７３６，突起１７３６ａ等を備える。
【００４８】
実施形態２に係る配線コネクタ１７００の構成においても、実施形態１と同様に、回路基板３２０側に雌型部品のような配線コネクタ１７００を接続するための別部材を設ける必要が無いため、回路基板３２０上に配置される遮光性の構造物の数や大きさを減じて、ＬＥＤ３１０から発せられた光の遮光率を低減させることが出来る。
また、実施形態２に係る配線コネクタ１７００の構成によっても、雌型部品のような別部材を用いなくてよいことからコスト抑制に資することが出来る。それに加えて、配線コネクタ１７００においては、係合部１７４１がハウジング１７３０と一体的に形成されており、ハウジングと別部材の係合ユニットを用意しなくてもよいため、部品点数および組み立て工程数を減じて、コスト抑制および作業性向上に資することが出来る。
【００４９】
配線コネクタ１７００は、実施形態１に係る配線コネクタ７００と同様に接触端子７１０を備えることから、同様に、接触端子７１０が電極３２２ｂと弾性接触し、接触端子７１０と電極３２２ｂとの電気的接続が安定的に維持される。
またさらに、配線コネクタ１７００は、突起１７３６ａを備えており、配線コネクタ７００と同様にコネクタヘッド１７０１をコネクタ取着部３２２に取着する際の誤取着を防止して、コネクタヘッド１７０１を確実に所望の向きに取着することができる。
【００５０】
そしてまた、ハウジング１７３０は、ハウジング７３０と同様に、Ｘ軸方向における両端側にそれぞれ、固定用貫通孔１７３２ａおよび配線導出用開口１７３３ａが形成されている。これにより、回路基板３２０に対してコネクタヘッド１７０１が所定の向きにのみ取着される場合であっても、配線７２０の余計な引き回しの問題の発生を回避することが出来る。
【００５１】
＜変形例＞
以上、本発明の構成を実施形態１〜５に基づいて説明したが、本発明は上記実施形態に限られず、以下のような変形例を実施することができる。なお、説明の重複を避けるため、上記各実施形態と同じ内容のものについてはその説明を省略し、同じ構成要素については、同符号を付すものとする。
【００５２】
（変形例１）
実施形態１に係る配線コネクタ７００および実施形態２に係る配線コネクタ１７００は、配線７２０および接触端子７１０をそれぞれ一対備えていたが、これに限られない。図１１（ａ）に、変形例１に係る配線コネクタ２７００の外観斜視図を示す。図１１（ａ）に示すように、配線コネクタ２７００は、配線７２０および接触端子７１０をそれぞれ１つずつ備えている。
【００５３】
ハウジング２７３０は、それに伴いＹ軸方向の幅が実施形態１に係るハウジング７３０と比較して縮小されており、隔壁を備えず、Ｘ軸方向の両端部に固定用貫通孔２７３２ａおよび配線導出用開口２７３３ａがそれぞれ一対ずつ形成されている点を除いては、基本的な構成はハウジング７３０と同様である。
また、係合ユニット２７４０は、Ｙ軸方向の幅が実施形態１に係る係合ユニット７４０と比較して縮小されている点を除いては、基本的な構成は係合ユニット７４０と同じである。係合ユニット２７４０は、固定部２７４２および係合部２７４１から成り、係止爪２７４２ａを備える。係合部２７４１は、爪状部分７４１ａおよび爪状部分７４１ｂから成る。係止爪２７４２ａの形状や大きさについては、基本的に係止爪７４２ａと同じである。
【００５４】
なお、図１１（ａ）においては、爪状部分７４１ｂは、ハウジング２７３０の陰に隠れて見えていない。
また、係合部２７４１がハウジング２７３０と一体的に形成されていてもよい。
（変形例２）
また、図１１（ｂ）に示す変形例２に係る配線コネクタ３７００のように、接触端子７１０および配線７２０をそれぞれ３つずつ備える構成としてもよい。この場合、３本の配線７２０のうちの１本を、アース用として用いる等の利用が可能である。
【００５５】
ハウジング３７３０は、それに伴いＹ軸方向の幅が実施形態１に係るハウジング７３０と比較して増大しており、隔壁３７３６が２つ形成され、突起３７３６ａが２つ形成され、固定用貫通孔３７３２ａおよび配線導出用開口３７３３ａがそれぞれ３対ずつ形成されている点を除いては、基本的な構成はハウジング７３０と同様である。
また、係合ユニット３７４０は、Ｙ軸方向の幅が実施形態１に係る係合ユニット７４０と比較して増大している点を除いては、基本的な構成は係合ユニット７４０と同じである。係合ユニット３７４０は、固定部３７４２および係合部３７４１から成り、係止爪３７４２ａを備える。係合部３７４１は、爪状部分７４１ａおよび爪状部分７４１ｂから成る。係止爪３７４２ａの形状や大きさについては、基本的にそれぞれ係合部７４１および係止爪７４２ａと同じである。
【００５６】
なお、図１１（ｂ）においては、爪状部分７４１ｂは、ハウジング３７３０の陰に隠れて見えていない。
また、突起３７３６ａは２個に限られず、何れか一方の隔壁３７３６に１つのみ形成されていてもよい。
さらには、係合部３７４１がハウジング３７３０と一体的に形成されていてもよい。
【００５７】
（変形例３）
また、配線コネクタが、接触端子７１０および配線７２０をそれぞれ４つ以上備える構成としてもよい。このような場合、リード線を４つ以上用いるのに代えて、フレキシブルフラットケーブルを１つ用いてもよい。リード線の本数が多くなるとバラバラにならないようにバンド等を用いてまとめる必要があるが、フレキシブルフラットケーブルを用いれば、バンド等の別部材を用いなくてもよく、また、配線コネクタの組み立てが容易であるという利点がある。
【００５８】
なお、実施形態１，２および変形例１，２のように配線７２０が３つ以下である場合においても、リード線に代えてフレキシブルフラットケーブルを用いてもよい。
（変形例４）
また、図１２に示す変形例３に係る配線コネクタ４７００のように、誤取着防止用の突起４７３６ａが形成されている向きを示す突起４７３２ｂがハウジング４７３０に形成されていてもよい。これにより、コネクタヘッド４７０１を回路基板３２０に取着する際に、コネクタヘッド４７０１を裏返して突起４７３６ａの位置を確認しなくても、コネクタヘッド４７０１を取着する向きがわかり、作業性が向上するという利点がある。
【００５９】
なお、図１２に斜視図を示す配線コネクタ４７００においては、突起４７３２ｂはハウジング４７３０の底面４７３２に形成されていたが、これに限られない。コネクタヘッド４７０１を取着する向きが表側からわかれば、突起４７３２ｂはハウジング４７３０の側面に形成されていてもよいし、係合ユニット７４０に形成されていてもよい。
また、係合部７４１がハウジング４７３０と一体的に形成されていてもよい。
【００６０】
（変形例５）
上記変形例３においては、コネクタヘッド４７０１を取着する向きを示す突起４７３２ｂがハウジング４７３０に形成されていたが、コネクタヘッドを取着する向きを示すものは、突起に限られない。例えば、ハウジングに設けられた凹部や貫通孔でもよいし、ハウジングに図形や文字、記号等を印刷したり刻印したものでもよい。
【００６１】
コネクタヘッドを取着する向きを示すものが、印刷された図形や文字でなく、突起や凹部、刻印等である場合には、目視しなくても手で触って認識することが出来るという利点がある。
（変形例６）
上記各実施形態および各変形例においては、ハウジングは、直方体様の形状であったが、これに限られない。例えば、円筒状の形状であってもよいし、ハート形や動物の形を模した形状であってもよい。
【００６２】
（変形例７）
上記各実施形態および各変形例においては、係合部は、一対の爪状部分から構成されていたが、これに限られない。係合部を構成する爪状部分は１つでもよいし、３つ以上であってもよい。その場合、基板には、爪状部分の数に対応する数の被係合部が設けられることになる。
【００６３】
また、爪状部分が１つの場合、例えば、ハウジングの隔壁の下端部に設けられてもよい。
（変形例８）
また、爪状部分を３つ以上備える場合、そのうちの１つが誤取着防止用の突起の機能を兼ねてもよい。例えば、実施形態１に係る配線コネクタ７００において、突起７３６ａが爪状部分であってもよい。
【００６４】
（変形例９）
上記各実施形態および各変形例においては、爪状部分と誤取着防止用の突起とが同じ方向（図３においては、Ｘ軸方向）を向いて互いに略平行となるように配設されていた。しかし、これに限られず、例えば、誤取着防止用の突起が爪状部分とは違う向きに配設されていてもよい。例えば、図３において、誤取着防止用の突起がＹ軸方向を向くように設けられていてもよい。
【００６５】
（変形例１０）
また、複数の爪状部分を備える場合、誤取着防止用の突起を設ける代わりに、複数の爪状部分のうちの１つが他とは違う向きに設けられていることにより誤取着を防止するようにしてもよい。例えば、図３に示す配線コネクタ７００の場合において、爪状部分７４１ａがＸ軸方向に、爪状部分７４１ｂがＹ軸方向に向けて設けられていてもよい。その場合、回路基板３２０に設けられた貫通孔３２２ａ１はＸ軸方向に、貫通孔３２２ａ２はＹ軸方向に沿って長尺な貫通孔として穿設される。これにより、コネクタヘッド７０１が所定の方向を向いている場合にのみ係合部７４１が被係合部３２２ａと係合することができるため、誤取着を防止することが出来る。
【００６６】
以上、本発明の一態様に係る接続構造を照明装置に適用した場合を例に説明したが、これに限られない。本発明の一態様に係る接続構造は、基板とコネクタとを電気的に接続する如何なる態様にも適用可能である。
なお、上記各実施形態および各変形例に係る接続構造、配線コネクタ、および照明装置の部分的な構成を適宜組み合わせてなる接続構造、配線コネクタ、および照明装置であっても良い。また、上記各実施形態および各変形例における説明に記載した材料、数値等は好ましいものを例示しているだけであり、それに限定されることはない。また、各図面における各部材の寸法および比は、一例として挙げたものであり、必ずしも実在の照明装置の寸法および比と一致するとは限らない。さらに、本発明の技術的思想の範囲を逸脱しない範囲で、接続構造、配線コネクタ、および照明装置の構成に適宜変更を加えることは可能である。
【符号の説明】
【００６７】
１０  照明装置
１００  装置本体
２００  ヒートシンク部
２１０  放熱板
３００  発光部
３１０  ＬＥＤ
３２０  回路基板
３２２  コネクタ取着部
３２２ａ  被係合部
３２２ｂ  電極
３２２ｃ  突起用貫通孔
４００  レンズ部
５００  グローブ
６００  アダプタ
７００，１７００，２７００，３７００，４７００  配線コネクタ
７０１，１７０１  コネクタヘッド
７１０  接触端子
７１１  端子部
７２０  配線
７３０，１７３０，２７３０，３７３０，４７３０  ハウジング
７３１  接触端子用開口
７３３，１７３４  側面
７３３ａ，１７３３ａ，２７３３ａ，３７３３ａ，４７３３ａ  配線導出用開口
７３４  側面
７３４ａ  段差部
７３６ａ，１７３６ａ，４７３２ｂ  突起
７４０，２７４０，３７４０  係合ユニット
７４１，１７４１，２７４１，３７４１  係合部
７４２，２７４２，３７４２  固定部
【図１】
2014060059.tif 000003
【図２】
2014060059.tif 000004
【図３】
2014060059.tif 000005
【図４】
2014060059.tif 000006
【図５】
2014060059.tif 000007
【図６】
2014060059.tif 000008
【図７】
2014060059.tif 000009
【図８】
2014060059.tif 000010
【図９】
2014060059.tif 000011
【図１０】
2014060059.tif 000012
【図１１】
2014060059.tif 000013
【図１２】
2014060059.tif 000014